Podtech/llm-jp-corpus-v4-ja_patent huggingface dataset:
【手続補正書】
【提出日】平成23年5月2日(2011.5.2)
【手続補正１】
【補正対象書類名】明細書
【補正対象項目名】発明の名称
【補正方法】変更
【補正の内容】
【発明の名称】着用物品
【手続補正２】
【補正対象書類名】明細書
【補正対象項目名】０００１
【補正方法】変更
【補正の内容】
【０００１】
本発明は、使い捨てのパンツ型おむつやトレーニングパンツ等のパンツ型の着用物品、特に、前後ウエスト域の側縁部を係脱可能とする構成を有する着用物品に関する。
【手続補正３】
【補正対象書類名】明細書
【補正対象項目名】００３５
【補正方法】変更
【補正の内容】
【００３５】
１０              使い捨ておむつ（着用物品）
１１              シャーシ
１２ａ，１２ｂ    ファスニング手段
１３              前ウエスト域
１３ａ，１３ｂ    第１側縁部
１４              後ウエスト域
１４ａ，１４ｂ    第２側縁部
１５              クロッチ域
１６              ウエスト開口
１７              レッグ開口
２５，２６        第１ファスニング要素
２５ａ，２６ａ    上方部
２５ｂ，２６ｂ    下方部
２７，２８        第２ファスニング要素
２９ａ，２９ｂ    支持部材
３０              離間部
Ｘ                横方向
Ｙ                縦方向
【手続補正４】
【補正対象書類名】図面
【補正対象項目名】図１
【補正方法】変更
【補正の内容】
【図１】
2009273732.tif 000001
【手続補正書】
【提出日】平成23年5月2日(2011.5.2)
【手続補正１】
【補正対象書類名】明細書
【補正対象項目名】００１５
【補正方法】変更
【補正の内容】
【００１５】
前方ファスナ部１２と後方ファスナ部１４とは、前後胴周り域６，７を分離可能に連結するためのファスナ２０を形成するものであって、前方ファスナ部１２はベースシート部分２１と、ベースシート部分２１の外面２１ａに係合域を形成することができるようにその外面２１ａに接合されているメカニカルファスナのフック部材２２とを含んでいる。ベースシート部分２１は、前胴周り域６の内面側にあって、好ましくは内面シート２や外面シート３よりも剛性の高い不織布や織布、プラスチックフィルムで形成されていて、外面２１ａの反対側に内面２１ｂを有する。フック部材２２には、例えば商品名マジックテープ（登録商標）で知られているメカニカルファスナのうちのフック部材が使用される。後方ファスナ部１４は、後方側縁部１３における内面シート２のうちの一部分、すなわち二条の鎖線１５で挟まれている部分であって、この部分において内面シート２を形成している不織布は、フック部材２２に対して離脱可能に係合するメカニカルファスナのループ部材として作用するものである。図１のおむつ１では、ファスナ２０を介して連結された状態にある前方側縁部１１と後方側縁部１３とが図の奥側に示されている他に、連結が外された状態にある前方側縁部１１と後方側縁部１３とが図の手前側に示されている。図中の仮想線で示された後方側縁部１３は、それが前方側縁部１１に連結されたときの状態を示している。
【手続補正２】
【補正対象書類名】明細書
【補正対象項目名】００２２
【補正方法】変更
【補正の内容】
【００２２】
図４，５は、この発明の実施形態の一例を示す図１と同様な図と、図４におけるＶ−Ｖ線切断面を示す図である。図４のおむつ１における前胴周り域６には、胴周り開口３１の縁に沿って延びている胴周り弾性部材１６とおむつ１の上下方向Ｂにおいて胴周り弾性部材１６と脚周り弾性部材１８との間にあって胴周り方向Ｒへ延びている中間弾性部材３６とを含んでいる。図４におけるＶ−Ｖ線は、その弾性部材３６の断面を示すことのできる位置にある。胴周り弾性部材１６と、脚周り弾性部材１８と、中間弾性部材３６とは、前胴周り域６における前方側縁部１１の非固定部位２４にまで伸長状態で延びている。非固定部位２４は、これら弾性部材１６，１８，３６が収縮することに伴って、外面シート３が内側となるように湾曲しており、実質的な意味において胴周り方向Ｒへ折り返された状態にある。非固定部位２４のかような湾曲を促進するために、弾性部材１６，１８，３６のうちの少なくとも中間弾性部材３６が、好ましくは胴周り弾性部材１６と中間弾性部材３６とが非固定部位２４においては内面シート２に接合されていて、外面シート３にはほとんど接合されていない状態にある。また、胴周り弾性部材１６と中間弾性部材３６とが内面シート２と外面シート３とに接合されている場合であっても、より好ましくは外面シート３に対する接合面積が内面シート２に対する接合面積よりも小さくなるような接合状態にある。このような状態にある胴周り弾性部材１６や中間弾性部材３６は、内面シート２に接している部位よりも外面シート３に接している部位において容易に収縮して、非固定部位２４を図示例の如く湾曲させることができる。おむつ１の後胴周り域７における後方側縁部１３の内面には、図１におけるループ部材としての内面シート２に代わってループ部材となる内面シートとは別体ループ部材３８が内面シート２の内面に取り付けられている。ループ部材３８には、フック部材に対して最適なループ形状を持つものを選ぶことができる。一方、内面シート２には、フック部材との係合を無視して、透液性や肌触りのよいシート材料を選ぶことができる。後胴周り域７において胴周り方向Ｒへ伸長状態で延びる胴周り弾性部材１７と中間弾性部材３７とは、ループ部材３８とループ部材３８との間にあって、ループ部材３８には届くことのないものであることが好ましい。弾性部材１７，３７がそのような状態にあれば、後方側縁部１３はループ部材３８の取り付けられている部位が非弾性域になって、ループ部材３８には弾性部材の影響によるギャザーが生じない。
【手続補正３】
【補正対象書類名】明細書
【補正対象項目名】００２５
【補正方法】変更
【補正の内容】
【００２５】
【図１】パンツ形状にあるときの着用物品（使い捨ておむつ）の部分破断斜視図。
【図２】着用物品の部分破断平面図。
【図３】図２のＩＩＩ−ＩＩＩ線切断面を示す図。
【図４】実施形態の一例を示す図１と同様な図。
【図５】図４のＶ−Ｖ線切断面を示す図。
【図６】実施形態の他の一例を示す図４と同様な図。
【図７】図６のＶＩＩ−ＶＩＩ線切断面を示す図。
【手続補正書】
【提出日】平成23年1月18日(2011.1.18)
【手続補正１】
【補正対象書類名】明細書
【補正対象項目名】０００２
【補正方法】変更
【補正の内容】
【０００２】
図１０には、従来の内視鏡用コネクタ（電気コネクタ）の構成が示されており、この図１０は、コネクタ１に防水キャップ２が取り付けられた状態を示している。このコネクタ1は、本体３の外周に回転（操作）リング４を所定の角度だけ回転できるように取り付けた構成とされ、本体３の接続口３ａの内部に、複数のピン（電気接点部材）５が配置される。一方、防水キャップ２は、内側円筒部６と外側円筒部７からなり、内側円筒部６の外周の溝６ｅに、上記接続口３ａの内周に密着するＯリング８が取り付けられている。
【手続補正２】
【補正対象書類名】明細書
【補正対象項目名】０００４
【補正方法】変更
【補正の内容】
【０００４】
図１１には、上記コネクタ１とプロセッサ装置１０側のコネクタ受け部の構成が示されており、このプロセッサ装置１０のコネクタ受け（レセプタクル）１１には、上記防水キャップ２側の係合爪９と同様の係合爪１２が設けられている。従って、従来のコネクタ１では、例えば回転リング４の外周に設けられたマーク（指標）Ｍ１をプロセッサ装置１０側のマークＭ２に位置合わせしながら、該回転リング４内に上記コネクタ受け１１を挿入し、カム溝を係合爪１２に係合させた後、回転リング４をマークＭ３の位置まで回転させれば、コネクタ本体３（その接続口３ａ）が前側へ移動しコネクタ受け１１へ接続固定される。なお、このコネクタ１をコネクタ受け１１から外したとき、回転リング４はバネの付勢力で元の基準位置へ戻るようになっている。
【手続補正３】
【補正対象書類名】明細書
【補正対象項目名】０００６
【補正方法】変更
【補正の内容】
【０００６】
ところで、図１０で説明した従来の内視鏡用コネクタでは、キャップ２のＯリング８を接続口３ａの内周面に密着させて防水を図っているが、接続口３ａの外周側に、回転リング４を設けているため、この回転リング４と本体３の間に隙間に水分が浸入して付着すると、防水キャップ２をコネクタ１から外したとき、隙間に付着した（又は溜まった）水分が、ピン５を有する接続口３ａの内部に垂れて入り込む場合がある。そして、この水分が浸入したコネクタ１をコネクタ受け１１に接続すれば、このコネクタ受け１１の内部にも水分で濡れることになり、これによって、コネクタ１内のピン５だけでなく、コネクタ受け１１内の電気接点も腐食する可能性がある。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
被検体内に第１超音波信号を送信するための送信部と、超音波を受信するための受信部と、前記受信部で受信された、前記第１超音波信号に基づく前記被検体内から来た第２超音波信号を受信に基づいて前記被検体内の画像を形成する画像処理部とを備える超音波診断装置において、
前記受信部の出力と予め設定された参照信号との相関処理を行うことによって前記受信部の出力から前記第２超音波信号を検出する相関部をさらに備え、
前記参照信号は、前記第１超音波信号の周波数を基本周波数とした場合における検出すべき高調波の次数、前記被検体の診断部位、および、前記被検体の診断深度に応じて設定され、
前記相関部は、ＣＣＤ原理に基づくアナログ積和演算装置を備えて構成されていること
を特徴とする超音波診断装置。
【請求項２】
前記第１超音波信号の周波数を基本周波数とした場合における検出すべき高調波の次数、前記被検体の診断部位、および、前記被検体の診断深度に応じて設定された複数の参照信号を記憶する参照信号記憶部をさらに備え、
前記相関部は、前記第１超音波信号の周波数を基本周波数とした場合における検出すべき高調波の次数、前記被検体の診断部位、および、前記被検体の診断深度に応じて前記複数の参照信号から１つの参照信号を選択して前記相関処理を行うこと
を特徴とする請求項１に記載の超音波診断装置。
【請求項３】
前記参照信号は、前記第１超音波信号に基づいて生成される関数であること
を特徴とする請求項１または請求項２に記載の超音波診断装置。
【請求項４】
前記第１超音波信号は、周波数を時間経過に伴って変化させるチャープ波であること
を特徴とする請求項１ないし請求項３のいずれか１項に記載の超音波診断装置。
【請求項５】
前記参照信号は、前記第１超音波信号の周波数を基本周波数とした場合における検出すべき高調波の次数を２ｎ（ｎは正の整数）とした場合に、前記第１超音波信号が正の値である場合には＋１を乗算した前記第１超音波信号の２ｎ乗であって、前記第１超音波信号が負の値である場合には−１を乗算した前記第１超音波信号の２ｎ乗であること
を特徴とする請求項４に記載の超音波診断装置。
【請求項６】
前記参照信号は、前記第１超音波信号の周波数を基本周波数とした場合における検出すべき高調波の次数を（２ｎ＋１）（ｎは正の整数）とした場合に、前記第１超音波信号の（２ｎ＋１）乗であること
を特徴とする請求項４に記載の超音波診断装置。
【請求項７】
前記参照信号は、その振幅がフォーカルポイント深度に応じて増減されていること
を特徴とする請求項３ないし請求項６のいずれか１項に記載の超音波診断装置。
【請求項８】
圧電材料を備えて成り、圧電現象を利用することによって電気信号と超音波信号との間で相互に信号を変換することができる圧電素子をさらに備え、
前記圧電素子は、送信用と受信用とに分離されていること
を特徴とする請求項１ないし請求項７のいずれか１項に記載の超音波診断装置。
【請求項９】
前記圧電素子は、２次元アレイ状に複数配列されていること
を特徴とする請求項８に記載の超音波診断装置。
【請求項１０】
前記受信用の前記圧電素子は、有機圧電材料を備えて成ることを
を特徴とする請求項８または請求項９に記載の超音波診断装置。
【手続補正２】
【補正対象書類名】明細書
【補正対象項目名】０００７
【補正方法】変更
【補正の内容】
【０００７】
本発明者は、種々検討した結果、上記目的は、以下の本発明により達成されることを見出した。すなわち、本発明の一態様にかかる超音波診断装置では、被検体内に第１超音波信号を送信するための送信部と、超音波を受信するための受信部と、前記受信部で受信された、前記第１超音波信号に基づく前記被検体内から来た第２超音波信号を受信に基づいて前記被検体内の画像を形成する画像処理部とを備える超音波診断装置であって、前記受信部の出力と予め設定された参照信号との相関処理を行うことによって前記受信部の出力から前記第２超音波信号を検出する相関部をさらに備え、前記参照信号は、前記第１超音波信号の周波数を基本周波数とした場合における検出すべき高調波の次数、前記被検体の診断部位、および、前記被検体の診断深度に応じて設定され、前記相関部は、ＣＣＤ原理に基づくアナログ積和演算装置を備えて構成されていることを特徴とする。
【手続補正３】
【補正対象書類名】明細書
【補正対象項目名】０００８
【補正方法】変更
【補正の内容】
【０００８】
このような構成の超音波診断装置では、参照信号が、検出すべき高調波の次数、被検体の診断部位および記被検体の診断深度に応じて設定されてので、この参照信号を用いることによって相関処理を行うことができ、より高いＳＮ比で高調波成分を取得することが可能となる。そして、この構成によれば、相関部がＣＣＤ原理に基づくアナログ積和演算装置を備えて構成されるので、微弱な信号レベルである高調波成分でもより適切に相関処理を行うことが可能となる。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球を受け入れ可能な第一始動口と、
開状態と閉状態との間で動作可能な可動片を有し、該可動片が前記閉状態にあるときには前記第一始動口よりも遊技球の受け入れが困難とされる第二始動口と、
所定の当選確率にて大当たりについての判定処理を行う大当たり判定手段と、
前記第一始動口及び前記第二始動口のいずれかへの遊技球の入球を契機として、前記大当たり判定手段にて前記大当たりについての判定処理を行うとともに、該判定処理にて大当たり判定されたときは、遊技者に特典が付与される特別遊技を行う遊技制御手段と、
所定の表示画面にて図柄変動を行うとともに、前記大当たり判定されたときは、当該判定された旨を示唆する特別図柄表示を行う表示制御手段と、を備え、
前記遊技制御手段は、前記大当たり判定に基づいて前記特別遊技を行うにあたり、前記表示制御手段による前記特別図柄表示に用いられる図柄を決定するとともに、前記表示制御手段は、前記遊技制御手段により決定された図柄を用いて前記特別図柄表示を行う遊技機であって、
前記遊技制御手段は、
前記第一始動口に遊技球が入球したときは、当該第一始動口への遊技球の入球に基づく前記大当たりについての判定処理をその実行条件が成立するまで待機させることによって第一始動口側の遊技を保留するとともに、前記第二始動口に遊技球が入球したときは、当該第二始動口への遊技球の入球に基づく前記大当たりについての判定処理をその実行条件が成立するまで待機させることによって第二始動口側の遊技を保留する遊技保留手段と、
前記大当たり判定に基づいて前記特別遊技を行うにあたり、前記第一始動口側の遊技が前記第二始動口側の遊技の後回しとして実行されるようになることを示唆する第一抑制図柄、及び前記第二始動口側の遊技が前記第一始動口側の遊技の後回しとして実行されるようになることを示唆する第二抑制図柄、のいずれかを前記表示制御手段による前記特別図柄表示に用いられる図柄として決定する図柄抽選手段と、
前記図柄抽選手段により前記第一抑制図柄が決定されたことを契機として、前記第二始動口側の遊技が保留されている限りは、前記第一始動口側の遊技と前記第二始動口側の遊技とのうちの前記第二始動口側の遊技のみが実行される第１遊技抑制状態に制御する第１遊技抑制制御手段と、
前記図柄抽選手段により前記第二抑制図柄が決定されたことを契機として、前記第一始動口側の遊技が保留されている限りは、前記第一始動口側の遊技と前記第二始動口側の遊技とのうちの前記第一始動口側の遊技のみが実行される第２遊技抑制状態に制御する第２遊技抑制制御手段と、
前記特別図柄表示にて前記第一抑制図柄が現れた後に前記第１遊技抑制制御手段により制御される前記第１遊技抑制状態と、前記特別図柄表示にて前記第二抑制図柄が現れた後に前記第２遊技抑制制御手段により制御される前記第２遊技抑制状態とのうち、前記第１遊技抑制状態においてのみ前記所定の当選確率をより高い確率に設定変更可能な優劣印象付け制御手段
を有することを特徴とする遊技機。
【請求項２】
前記大当たり判定手段は、乱数に基づいて大当たりについての判定処理を行う
請求項１に記載の遊技機。
【請求項３】
前記乱数は、前記第一始動口及び前記第二始動口のいずれかへの遊技球の入球によって取得されるものである
請求項２に記載の遊技機。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
コールドショックタンパク質及び逆転写酵素を含む逆転写反応用組成物。
【請求項２】
コールドショックタンパク質がＣｓｐＡ又はそのホモローグである請求項１記載の組成物。
【請求項３】
ＣｓｐＡ又はそのホモローグが大腸菌由来ＣｓｐＡである請求項１記載の組成物。
【請求項４】
逆転写酵素がモロニーマウス白血病ウイルス由来逆転写酵素及び／又はトリ骨髄芽球症ウイルス由来逆転写酵素である請求項１記載の組成物。
【請求項５】
少なくとも１種のプライマー及び少なくとも１種のデオキシリボヌクレオチドをさらに含む、請求項１記載の組成物。
【請求項６】
（Ａ）請求項１〜５いずれか１項に記載の組成物を用いて、コールドショックタンパク質、逆転写酵素、少なくとも１種のプライマー、少なくとも１種のデオキシリボヌクレオチド、及び鋳型となるＲＮＡを含有する溶液を調製する工程、及び（Ｂ）（Ａ）工程で調製した溶液をインキュベーションする工程を含む、ｃＤＮＡの合成方法。
【請求項７】
コールドショックタンパク質及び逆転写酵素を含む逆転写反応用キット。
【請求項８】
請求項１〜５いずれか１項に記載の組成物を用いて、コールドショックタンパク質、逆転写酵素、少なくとも１種のプライマー、少なくとも１種のデオキシリボヌクレオチド、及び鋳型となるＲＮＡを含有する溶液を調製することを特徴とする、ｃＤＮＡの合成における低温時のミスプライミングの抑制方法。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
温度情報としての電圧信号である第１のセンサ出力と、前記第１のセンサ出力とは温度変化に対する電圧変化の傾向が逆の電圧信号である第２のセンサ出力と、を出力する温度センサ回路と、
前記第１のセンサ出力と前記第２のセンサ出力とに基づいて出力信号を出力する周波数制御回路と、
少なくとも、圧電振動子と、前記周波数制御回路の出力信号によって容量値が制御される電圧制御型の可変容量素子と、を含む発振回路と、
高周波成分の電圧信号を通過させるハイパスフィルタ回路と、を備え、
前記第１のセンサ出力を前記ハイパスフィルタ回路に入力し、
前記ハイパスフィルタ回路の出力信号と前記第２のセンサ出力とを加算した信号を前記周波数制御回路に入力したことを特徴とする圧電発振器。
【請求項２】
前記温度センサ回路は、前記第１のセンサ出力を出力する第１の温度センサ部と、前記第２のセンサ出力を出力する第２の温度センサ部とを含むことを特徴とする請求項１に記載の圧電発振器。
【請求項３】
前記温度センサ回路は、前記第１のセンサ出力または前記第２のセンサ出力のうち一方を出力する温度センサ部と、該温度センサ部のセンサ出力を反転し前記第１のセンサ出力または前記第２のセンサ出力のうち他方を出力する反転部と、を備えることを特徴とする請求項１に記載の圧電発振器。
【手続補正２】
【補正対象書類名】明細書
【補正対象項目名】０００６
【補正方法】変更
【補正の内容】
【０００６】
［適用例１］本発明に係る圧電発振器は、温度情報としての電圧信号である第１のセンサ出力と、前記第１のセンサ出力とは温度変化に対する電圧変化の傾向が逆の電圧信号である第２のセンサ出力と、を出力する温度センサ回路と、前記第１のセンサ出力と前記第２のセンサ出力とに基づいて出力信号を出力する周波数制御回路と、少なくとも、圧電振動子と、前記周波数制御回路の出力信号によって容量値が制御される電圧制御型の可変容量素子と、を含む発振回路と、高周波成分の電圧信号を通過させるハイパスフィルタ回路と、を備え、前記第１のセンサ出力を前記ハイパスフィルタ回路に入力し、前記ハイパスフィルタ回路の出力信号と前記第２のセンサ出力とを加算した信号を前記周波数制御回路に入力したことを特徴とする。
【手続補正３】
【補正対象書類名】明細書
【補正対象項目名】０００８
【補正方法】変更
【補正の内容】
【０００８】
［適用例２］また圧電発振器は、前記温度センサ回路は、前記第１のセンサ出力を出力する第１の温度センサ部と、前記第２のセンサ出力を出力する第２の温度センサ部とを含むことを特徴とする適用例１に記載の圧電発振器である。
【手続補正４】
【補正対象書類名】明細書
【補正対象項目名】００１０
【補正方法】変更
【補正の内容】
【００１０】
［適用例３］また圧電発振器は、前記温度センサ回路は、前記第１のセンサ出力または前記第２のセンサ出力のうち一方を出力する温度センサ部と、該温度センサ部のセンサ出力を反転し前記第１のセンサ出力または前記第２のセンサ出力のうち他方を出力する反転部と、を備えることを特徴とする適用例１に記載の圧電発振器である。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
遊技球の入球に起因して遊技者に有利なゲームを実行するか否かを決定する当否乱数を有する条件成立判定手段を備えた遊技制御手段と、
前記条件成立判定手段により抽出された前記当否乱数の値が所定値である場合には遊技者に有利なゲームが実行される旨の有利報知画像、条件が成立しない場合には有利なゲームが実行されない旨の不利報知画像を表示する報知画像表示手段を備えた画像制御手段と、を備えた遊技機において、
前記遊技制御手段に、
前記報知画像表示手段により表示される画像の変動時間を前記入球に起因して複数の変動時間の中から決定する変動時間決定手段と、
該変動時間決定手段により決定された変動時間を示すデータ及び前記条件成立判定手段により抽出された前記当否乱数の値が所定値であるか否かを示す当否データを前記画像制御手段に送信するデータ送信手段と、
前記画像制御手段に、
受信した前記当否データに基づき遊技者に有利なゲームを実行しないと判定したとき、 前記有利報知画像が成立する前提条件となるリーチ画像を表示するか否かを決定するリーチ決定手段と、
該リーチ決定手段によりリーチ画像を表示すると決定された場合には、該リーチ画像を含む前記不利報知画像を決定し、該不利報知画像の画像制御データを生成して該決定された不利報知画像を受信した前記変動時間に従って変動表示するリーチ画像表示手段と、
を備えたことを特徴とする遊技機。
【請求項２】
請求項１に記載の遊技機において、
前記画像制御手段の前記リーチ決定手段は、確率の相違するリーチ乱数を２種類以上有し、前記リーチ画像表示手段により表示されるリーチ画像の表示回数に従って用いるリーチ乱数を変更することを特徴とする遊技機。
【手続補正２】
【補正対象書類名】明細書
【補正対象項目名】０００７
【補正方法】変更
【補正の内容】
【０００７】
前記課題を解決するため請求項１に記載の遊技機は、遊技球の入球に起因して遊技者に有利なゲームを実行するか否かを決定する当否乱数を有する条件成立判定手段を備えた遊技制御手段と、
前記条件成立判定手段により抽出された前記当否乱数の値が所定値である場合には遊技者に有利なゲームが実行される旨の有利報知画像、条件が成立しない場合には有利なゲームが実行されない旨の不利報知画像を表示する報知画像表示手段を備えた画像制御手段と、を備えた遊技機において、
前記遊技制御手段に、
前記報知画像表示手段により表示される画像の変動時間を前記入球に起因して複数の変動時間の中から決定する変動時間決定手段と、
該変動時間決定手段により決定された変動時間を示すデータ及び前記条件成立判定手段により抽出された前記当否乱数の値が所定値であるか否かを示す当否データを前記画像制御手段に送信するデータ送信手段と、
前記画像制御手段に、
受信した前記当否データに基づき遊技者に有利なゲームを実行しないと判定したとき、 前記有利報知画像が成立する前提条件となるリーチ画像を表示するか否かを決定するリーチ決定手段と、
該リーチ決定手段によりリーチ画像を表示すると決定された場合には、該リーチ画像を含む前記不利報知画像を決定し、該不利報知画像の画像制御データを生成して該決定された不利報知画像を受信した前記変動時間に従って変動表示するリーチ画像表示手段と、
を備えたことを特徴とする遊技機である
【手続補正３】
【補正対象書類名】明細書
【補正対象項目名】０００８
【補正方法】変更
【補正の内容】
【０００８】
前記構成を有する請求項１に記載の遊技機は、前記画像制御手段でリーチ変動を実行するか否かを決定するので、主制御手段を負担が軽減されるとともに、リーチ変動を連続で発生させたり、変動回数に従って発生させたりする等、自由にリーチ画像を表示制御することができる。また、変動時間に従ってリーチ画像を表示させているので、リーチ表示の趣向性を高まることができる。
主制御手段は、抽選の当否結果を示す当否データを送信する。受信した当否データに基づき遊技者に有利なゲームを実行しないと判定したとき、 画像制御手段がリーチ画像を表示するか否かを決定する。リーチ画像を含む前記不利報知画像を画像制御手段が決定する。
これにより、主制御手段は、当否結果が外れ時にリーチ表示を行うか否か決定する必要なく、リーチ画像を含む不利報知画像を決定する必要なく、処理の負担は軽減化される。
一方、リーチ画像を表示するか否かを画像制御手段が決定し、リーチ画像を含む不利報知画像を画像制御手段が決定するので、リーチ変動を連続で発生させたり、変動回数に従って発生させたりする等、自由にリーチ画像を画像制御手段が表示制御することができる。
【手続補正４】
【補正対象書類名】明細書
【補正対象項目名】００１２
【補正方法】変更
【補正の内容】
【００１２】
請求項２に記載の遊技機は、請求項１に記載の遊技機において、前記画像制御手段の前記リーチ決定手段は、確率の相違するリーチ乱数を２種類以上有し、前記リーチ画像表示手段により表示されるリーチ画像の表示回数に従って用いるリーチ乱数を変更することを特徴とする遊技機である。
これにより、意図的にリーチ決定確率を変えることができる。つまりリーチ集中後は当り易い遊技機となり、リーチの頻発を遊技者が信用しないという面が解消ないし緩和できるという効果がある。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
容器と、哺乳瓶の空気流入端部に配置されるフランジ部と、前記フランジ部の面に実質的に垂直な方向で前記フランジ部から前記容器に延在する空気管路とを含む、哺乳瓶であって、前記空気管路は、その最端部に通気弁を有し、前記通気弁は、前記容器内の液体頭部の圧力の結果として閉鎖し、かつ、前記容器に適用される１ミリバールから２５ミリバールの範囲内の負圧下で開放するように構成された、哺乳瓶。
【請求項２】
前記通気弁は、５ミリバールから１５ミリバールの範囲内の負圧で開放するように構成された、請求項１に記載の哺乳瓶。
【請求項３】
前記通気弁は、１０ミリバールの負圧で開放するように構成された、請求項２に記載の哺乳瓶。
【請求項４】
前記通気弁は、ダックビル弁を含む、請求項１〜３のいずれか１項に記載の哺乳瓶。
【請求項５】
前記通気弁は、半球状の弁を含む、請求項１〜３のいずれか１項に記載の哺乳瓶。
【請求項６】
前記通気弁は、逆止弁であり、前記空気管路は、前記最端部で当該空気管路から横方向に延在する窒息防止部分をさらに含む、請求項１に記載の哺乳瓶。
【請求項７】
前記窒息防止部分は、前記逆止弁に取り付けられる、請求項６に記載の哺乳瓶。
【請求項８】
前記窒息防止部分および弁は、一体に形成されて、前記空気管路に着脱可能に取り付けられる、請求項７に記載の哺乳瓶。
【請求項９】
前記容器の開口部に対して密封可能な密封部分をさらに含み、前記密封部分は、前記容器とマウスピースとの間に液体経路を含む、請求項６〜８のいずれか１項に記載の哺乳瓶。
【請求項１０】
前記密封部分は、前記空気管路への空気経路を提供する通気経路をさらに含む、請求項９に記載の哺乳瓶。
【請求項１１】
前記空気管路への空気経路を提供する空気管路部材を有する乳首をさらに含む、請求項６〜８のいずれか１項に記載の哺乳瓶。
【請求項１２】
前記空気管路への空気経路を提供する空気管路部材を有する支持部材をさらに含む、請求項６〜８のいずれか１項に記載の哺乳瓶。
【請求項１３】
液体経路および通気経路を別々に有する密封部分であって、前記密閉部分は、フランジ部と、前記フランジ部の面に実質的に垂直な方向で前記フランジ部から延在する空気管路とをさらに含み、前記空気管路は前記通気経路と連通する、密閉部分と、前記空気管路の最端部上に取り付けられる逆止弁と、を含み、前記逆止弁は、当該弁に適用される液体頭部の圧力の結果として閉鎖し、かつ、１ミリバールから２５ミリバールの間の負圧を適用すると通気位置に開放するように構成された、哺乳瓶のベントアセンブリ。
【請求項１４】
請求項１３に記載のベントアセンブリを含む、哺乳瓶。
【請求項１５】
前記逆止弁に取り付けられる窒息防止部分をさらに含む、請求項１３に記載の哺乳瓶のベントアセンブリ。
【請求項１６】
前記通気弁は、半径が２ｍｍから５ｍｍで壁厚が０．３ｍｍから０．７ｍｍ、流体の通過経路としてのスリットの寸法が２．５ｍｍから４．０ｍｍである半球状部材を含む半球状の弁である、請求項１に記載の哺乳瓶。
【請求項１７】
前記通気弁は、壁厚が０．５ｍｍの半球状部材を含む半球状の弁である、請求項１または１６に記載の哺乳瓶。
【請求項１８】
前記通気弁は、半径が３．５ｍｍの半球状部材を含む半球状の弁である、請求項１、１６または１７に記載の哺乳瓶。
【請求項１９】
前記通気弁は、半径が２ｍｍから５ｍｍで壁厚が０．３ｍｍから０．７ｍｍ、流体の通過経路としてのスリットの寸法が２．５ｍｍから４．０ｍｍである半球状部材を含む半球状の弁であり、前記半球状部材は、ショアＡ硬さが３０から６０である材料から作られる、請求項１に記載の哺乳瓶。
【請求項２０】
請求項１９に記載の半球状の弁を有する乳首。
【請求項２１】
前記半球状の弁は、流体の通過経路を可能にするために前記乳首の頂点に配置される、請求項２０に記載の乳首。
【請求項２２】
前記半球状の弁は、流体の通過経路を可能にするために前記乳首のフランジ部上に配置される、請求項２０に記載の乳首。
【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
ステント主線、ストラットを含む線状部品を接合パイプを介して接続した接続部を有するステントに於いて、
前記ストラットの直径が前記ステント主線の直径より大きいことを特徴とするステント。
【手続補正２】
【補正対象書類名】明細書
【補正対象項目名】００１３
【補正方法】変更
【補正の内容】
【００１３】
上記課題を解決するために本発明に係るステントは、ステント主線、ストラットを含む線状部品を接合パイプを介して接続した接続部を有するステントに於いて、前記ストラットの直径が前記ステント主線の直径より大きい。
【手続補正３】
【補正対象書類名】明細書
【補正対象項目名】００１４
【補正方法】変更
【補正の内容】
【００１４】
本発明に係るステントでは、ストラットの直径がステント主線の直径より大きいため、ステントを患部の湾曲部等に適用させるときにストラットに生じる曲がりとループステントに生じる曲がりとを略均等に、或いはストラットの曲がりをループステントの曲がりよりも僅かに小さい程度にすることができる。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
細孔を有するセル壁で区画された複数のセルを有する三次元構造担体と、この三次元構造担体に形成された触媒層を備える排ガス浄化用触媒において、
上記触媒層が、上記セル壁の表面に沿って形成された表面被覆部位と、上記セル壁の細孔に沿って形成された細孔被覆部位を有し、
少なくとも上記細孔被覆部位が、当該触媒層に含まれる担持成分に由来する孔径０．１〜１０μｍの活性細孔を有し、
孔径０．１〜１０μｍの細孔の細孔容積総和が、全細孔の細孔容積総和の５〜３０％を占めることを特徴とする排ガス浄化用触媒。
【請求項２】
上記三次元構造担体は、上記セル壁の細孔の４〜８０％が孔径１０〜５０μｍの細孔であり、気孔率が４０ｖｏｌ％以上であることを特徴とする請求項１に記載の排ガス浄化用触媒。
【請求項３】
上記孔径０．１〜１０μｍの細孔の細孔容積総和の５〜１００％が、上記活性細孔の細孔容積総和に相当することを特徴とする請求項１に記載の排ガス浄化用触媒。
【請求項４】
孔径が１０μｍ超で１００μｍ以下の細孔の細孔容積総和が、全細孔の細孔容積総和の７０〜９５％を占めることを特徴とする請求項１〜３のいずれか１つの孔に記載の排ガス浄化用触媒。
【請求項５】
上記孔径が１０μｍ超で１００μｍ以下の細孔の細孔容積総和は、上記三次元構造担体における同孔径範囲の細孔の細孔容積総和よりも減少しており、この減少率が、１〜３５％であることを特徴とする請求項４に記載の排ガス浄化用触媒。
【請求項６】
上記触媒層の担持成分のうちの触媒成分として、セリウム（Ｃｅ）、プラセオジム（Ｐｒ）、ガリウム（Ｇａ）、イットリウム（Ｙ）、ジルコニウム（Ｚｒ）及びアルミニウム（Ａｌ）から成る群より選ばれた少なくとも１種の元素を含む酸化物を含有することを特徴とする請求項１〜５のいずれか１つの項に記載の排ガス浄化用触媒。
【請求項７】
上記触媒層の担持成分のうちの触媒成分として、更に、鉄（Ｆｅ）、コバルト（Ｃｏ）、マンガン（Ｍｎ）及びニッケル（Ｎｉ）から成る群より選ばれた少なくとも１種の遷移金属の酸化物を含有することを特徴とする請求項６に記載の排ガス浄化用触媒。
【請求項８】
上記触媒層の担持成分のうちの触媒成分として、更に、白金（Ｐｔ）、パラジウム（Ｐｄ）、ロジウム（Ｒｈ）、銀（Ａｇ）及び金（Ａｕ）から成る群より選ばれた少なくとも１種の貴金属を含有することを特徴とする請求項６又は７に記載の排ガス浄化用触媒。
【請求項９】
上記触媒層の担持成分のうちの触媒成分が、上記三次元構造担体に対して２５〜１００ｇ／Ｌの割合で含まれることを特徴とする請求項１〜８のいずれか１つの項に記載の排ガス浄化用触媒。
【請求項１０】
細孔を有するセル壁で区画された複数のセルを有する三次元構造担体と、この三次元構造担体に形成された触媒層を備え、
上記触媒層が、上記セル壁の表面に沿って形成された表面被覆部位と、上記セル壁の細孔に沿って形成された細孔被覆部位を有し、
少なくとも上記細孔被覆部位が、当該触媒層に含まれる担持成分に由来する孔径０．１〜１０μｍの活性細孔を有する排ガス浄化用触媒を製造するに当たり、
上記担持成分を含むスラリーとして、平均粒子径が１〜１０μｍであり、平均粒子径１μｍ以下の粒子の存在割合が２０％以下、平均粒子径１０μｍ以上の粒子の存在割合が１０％以下であるスラリーを用いることを特徴とする排気ガス浄化用触媒の製造方法。
【請求項１１】
上記担持成分のうちの触媒成分として、セリウム（Ｃｅ）、プラセオジム（Ｐｒ）、ガリウム（Ｇａ）、イットリウム（Ｙ）、ジルコニウム（Ｚｒ）及びアルミニウム（Ａｌ）から成る群より選ばれた少なくとも１種の元素を含む酸化物に、
鉄（Ｆｅ）、コバルト（Ｃｏ）、マンガン（Ｍｎ）及びニッケル（Ｎｉ）から成る群より選ばれた少なくとも１種の遷移金属の酸化物、並びに白金（Ｐｔ）、パラジウム（Ｐｄ）、ロジウム（Ｒｈ）、銀（Ａｇ）及び金（Ａｕ）から成る群より選ばれた少なくとも１種の貴金属の少なくとも一方を担持した粉末を用い、
上記担持成分を含むスラリーを調製する、ことを特徴とする請求項１０に記載の排ガス浄化用触媒の製造方法。
【請求項１２】
上記担持成分を含むスラリーが、活性炭粒子、樹脂粒子、セルロース粒子及びもみ殻から成る群より選ばれた少なくとも１種の消失材を含有することを特徴とする請求項１０又は１１に記載の排ガス浄化用触媒の製造方法。
【手続補正２】
【補正対象書類名】明細書
【補正対象項目名】０００８
【補正方法】変更
【補正の内容】
【０００８】
即ち、本発明の排ガス浄化用触媒は、細孔を有するセル壁で区画された複数のセルを有する三次元構造担体と、この三次元構造担体に形成された触媒層を備える排ガス浄化用触媒である。
上記触媒層が、上記セル壁の表面に沿って形成された表面被覆部位と、上記セル壁の細孔に沿って形成された細孔被覆部位を有し、
少なくとも上記細孔被覆部位が、当該触媒層に含まれる担持成分に由来する孔径０．１〜１０μｍの活性細孔を有し、
孔径０．１〜１０μｍの細孔の細孔容積総和が、全細孔の細孔容積総和の５〜３０％を占めることを特徴とする。
【手続補正３】
【補正対象書類名】明細書
【補正対象項目名】０００９
【補正方法】変更
【補正の内容】
【０００９】
また、本発明の排気ガス浄化触媒の製造方法は、細孔を有するセル壁で区画された複数のセルを有する三次元構造担体と、この三次元構造担体に形成された触媒層を備え、
上記触媒層が、上記セル壁の表面に沿って形成された表面被覆部位と、上記セル壁の細孔に沿って形成された細孔被覆部位を有し、
少なくとも上記細孔被覆部位が、当該触媒層に含まれる担持成分に由来する孔径０．１〜１０μｍの活性細孔を有する排ガス浄化触媒を製造する方法である。
上記担持成分を含むスラリーとして、平均粒子径が１〜１０μｍであり、平均粒子径１μｍ以下の粒子の存在割合が２０％以下、平均粒子径１０μｍ以上の粒子の存在割合が１０％以下であるスラリーを用いることを特徴とする。
【手続補正４】
【補正対象書類名】明細書
【補正対象項目名】００２５
【補正方法】変更
【補正の内容】
【００２５】
なお、本発明の排ガス浄化用触媒においては、孔径０．１〜１０μｍの細孔の細孔容積総和が、全細孔の細孔容積総和の５〜３０％を占める。
即ち、孔径０．１〜１０μｍの細孔には、上記の活性細孔と、三次元構造担体自体が有している細孔が含まれるが、これらの細孔容積の合算分が当該排ガス浄化用触媒における全て孔径の細孔容積総和の５〜３０％に相当することが望ましい。
この比率が５％未満では、触媒層中に排ガスの十分な通路が確保されず、また、排ガスと触媒の接触面積も十分でないために、排圧が上昇したり、触媒の効果が減少することがあり、３０％を超えると、触媒層を備える三次元構造担体のセル壁の平均細孔径が小さくなるため、触媒層を備える三次元構造担体全体の圧損が大きくなってしまうことがある。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
第一の領域からの距離を示す多項式に、第二の領域から得た位置座標を入力して得た値に応じて前記第二の領域の位置変更量を得る取得手段と、
前記位置変更量に基づいて第一の領域と第二の領域とを合成する合成手段とを備えることを特徴する位置合わせ処理装置。
【請求項２】
前記取得手段は、計算回数に応じて前記多項式の次数を変更することを特徴とする請求項１に記載の位置合わせ処理装置。
【請求項３】
前記取得手段は、前記多項式の出力値に応じて、前記多項式の次数を変更することを特徴とする請求項１に記載の位置合わせ処理装置。
【請求項４】
前記取得手段で用いる多項式は、第一の領域の外面上の位置座標に対して０の値を示す陰関数であることを特徴とする請求項１乃至３のいずれか１項に記載の位置合わせ処理装置。
【請求項５】
前記第一の領域、前記第二の領域は、それぞれ単純Ｘ線撮影装置、Ｘ線コンピュータ断層撮影装置、核磁気共鳴映像装置、核医学診断装置、超音波画像診断装置のいずれかで撮像された画像データ内の領域であることを特徴とする請求項１乃至４のいずれか１項に記載の位置合わせ処理装置。
【請求項６】
前記合成手段で合成した画像を表示する表示手段を更に備えることを特徴とする請求項１乃至５のいずれか１項に記載の位置合わせ処理装置。
【請求項７】
第一の領域からの距離を示す多項式に、第二の領域から得た位置座標を入力して得た値に応じて前記第二の領域の位置変更量を得る取得工程と、
前記位置変更量に基づいて第一の領域と第二の領域とを合成する合成工程とを有することを特徴とする位置合わせ方法。
【請求項８】
請求項７に記載の位置合わせ方法の各工程をコンピュータに実行させるためのプログラム。
【請求項９】
請求項８に記載のプログラムを記憶したコンピュータ読み取り可能な記憶媒体。
【手続補正書】
【提出日】平成23年9月21日(2011.9.21)
【手続補正１】
【補正対象書類名】明細書
【補正対象項目名】００３２
【補正方法】変更
【補正の内容】
【００３２】
なお、吸収体１０の吸収速度を測定する場合は、固定点３３上の中間シート２０又は後述する基盤シート２１を含んだ状態で測定する。この場合、濾紙面には中間シート２０及び基盤シート２１は接しないし、また固定点３３のサイズは比較的小さいから、中間シート２０又は基盤シート２１に固定された状態で吸収体１０の吸収速度を測定しても測定誤差は生じない。中間シート２０又は基盤シート２１の吸収速度を測定する場合は、固定点３３ごと吸収体１０を取り除く。
【手続補正２】
【補正対象書類名】明細書
【補正対象項目名】００５６
【補正方法】変更
【補正の内容】
【００５６】
図１５に示す第４の実施形態においては、表面シート１０１と裏面シート１０２との間に、多数の吸収部３０からなる吸収体１０が配されている。この吸収体１０と裏面シート１０２との間には、中間シート２０が配されている。中間シート２０の上面と吸収部３０の下面とは、該吸収部３０に張り出し部３４が形成されるような態様で、固定部３３によって固定されている。更に、中間シート２０と表面シート１０１との間には、基盤シート２１が配されている。つまり、基盤シート２１は、多数の吸収部３０と表面シート１０１との間に配されている。そして、基盤シート２１と中間シート２０との間に、個々に独立した多数の第２吸収部３０’が、物品１００の平面方向にわたって、かつ吸収部３０と非対向状態で配置されている。つまり、吸収部３０と第２吸収部３０’とは互いに入れ子状態で配置されている。非対向状態とは、吸収性物品１００を平面視したときに吸収部３０と第２吸収部３０’とが完全に同じ位置にないことを言う（以下、非対向状態というときは、これに同じである。）。したがって吸収性物品１００を平面視したときに吸収部３０と第２吸収部３０’とが一部重なり合う状態で配置されている場合は、非対向状態に含まれる。したがって吸収部３０の配置パターンが図２に示すパターンである場合、第２吸収部３０’の配置パターンも同図に示すパターンとなる。同様に、吸収部３０の配置パターンが図７に示すパターンである場合、第２吸収部３０’の配置パターンも同図に示すパターンとなる。第２吸収部３０’の上面は、基盤シート２１の下面側に、固定部３３'によって固定されている。第２吸収部３０’と基盤シート２１との固定の態様は、吸収部３０と中間シート２０との固定の態様と同じである。また、第２吸収部３０’の構成材料や、形状、大きさ等については、吸収部３０に関する説明が適宜適用される。更に、基盤シート２１に関しては、第２の実施形態に関する説明が適宜適用される。吸収部３０の上面側は、基盤シート２１の下面側には固定されていない。同様に、第２吸収部３０’の下面側は、中間シート２０の上面側には固定されていない。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つを圧力変化及び／あるいは波動の反射の測定結果として検出し記録することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データともいう）のうちの少なくとも一方を記憶することができる記憶手段と表示手段を有しているとともに、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置。
【請求項２】
請求項１に記載の生体反応記録装置において、心音図から２音（大動脈弁閉鎖音）を同定し、心尖拍動図波形において、時間軸(横軸)方向で、２音より前に存在し、２音との間隔が５０ｍｓｅｃ未満の２音に最も近い陽性極値（微分値が＋から−に転じる時点で零点を示す）をＳ点とし、Ｓ点が存在すれば、高度の左室障害（収縮障害、拡張障害）の可能性は低いとし、Ｓ点が存在しなければ、左室拡張障害が示唆されるとし、及び／あるいは左室拡張障害とは別に左室収縮障害が示唆されるとし、及び／あるいは中等度以上の左室肥大があり、左室収縮が正常である例が疑われるとして情報処理を行うことを特徴とする生体反応記録装置。
【請求項３】
請求項１または２に記載の生体反応記録装置において、心音図から２音（大動脈弁閉鎖音）を同定し、時間軸(横軸)において、心尖拍動図波形において２音から５０ｍｓｅｃ以上後で、心尖拍動図の最初の陰性極値をＯ点とし、２音からＯ点までの時間を２−Ｏ時間とし、２−Ｏ時間が１５０ｍｓｅｃ未満を正常とし、１５０ｍｓｅｃ以上から２００ｍｓｅｃ未満を異常として情報処理を行うことを特徴とする生体反応記録装置。
【請求項４】
請求項１〜３のいずれかに記載の生体反応記録装置において、Ｏ点から後に存在し、Ｏ点から１５０ｍｓｅｃ未満の最初の陽性極値をＦ点とし、Ｏ点からＦ点までの時間をＯ―Ｆ時間とし、Ｏ―Ｆ時間が１００ｍｓｅｃ未満を正常とし、１００ｍｓｅｃ以上で１５０ｍｓｅｃ未満を異常として情報処理を行うことを特徴とする生体反応記録装置。
【請求項５】
請求項１〜４のいずれかに記載の生体反応記録装置において、心尖拍動図の一次微分波形におけるＡ波、Ｅ波およびＦ波の陽性ピーク値をそれぞれａ点、ｅ点、ｆ点とし、各ａ点、ｅ点、ｆ点を相対値として比較し検討し、ｆ点の高さがｅ点の高さの２分の１未満の時を正常と判定し、ｆ点の高さがｅ点の高さの２分の１以上で、３分の２未満の時、境界域で要注意と判定し、ｆ点の高さがｅ点の高さの３分の２以上で異常と判定して情報処理を行うことを特徴とする生体反応記録装置。
【請求項６】
請求項１〜５のいずれかに記載の生体反応記録装置において、Ｃ点から１５０ｍｓｅｃ未満にＥ点が存在せず、１５０ｍｓｅｃ以上にのみ陽性極値を認める場合にはその極値をＰ点とし、Ｐ点が存在する時は異常と判定して情報処理を行うことを特徴とする生体反応記録装置。
【請求項７】
請求項１〜６のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関して設定された所定の範囲を有しており、測定された各データがその範囲に入るか否かを判定する手段を有していることを特徴とする生体反応記録装置。
【請求項８】
請求項１〜７のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関する所定の範囲を測定者が入力して設定することができる手段を有しており、測定された各データがその範囲に入るか否かを判定する手段を有していることを特徴とする生体反応記録装置。
【請求項９】
請求項１〜８のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関する所定の範囲を測定者がタブレットなどを用いて図形として入力して設定することができる手段を有しており、測定された各データがその範囲に入るか否かを判定する手段を有していることを特徴とする生体反応記録装置。